(57)【要約】【課題】一つの原画像データを分割させて複数の書込み装置で画像形成を行う場合に、分割された各画像の位置ずれを簡便に補正する。【解決手段】ステップＳ４において二以上に分割された各分割画像の位置ずれに応じて、分割画像データと位置ずれ量の検出結果とに基づいて補正画像データ領域を新たに設け（ステップＳ１１）、補正画像データ領域内の位置ずれ量の検出結果から求められる位置に分割画像データを配置することにより（ステップＳ１２）、分割画像間に位置ずれが生じないようにした。これにより、互いに隣接する分割画像データ間における位置ずれがない画像データをドラムに巻き付けられた版材に形成することが可能になる。【選択図】　　図２
2004147260.tif 000002
【特許請求の範囲】
【請求項１】
一つの原画像データを分割して得られる分割画像データに基づいて記録部材表面に分割画像を書込むことにより前記記録部材表面に一つの画像を形成する二以上の書込み装置と、
前記分割画像データを作成し、前記分割画像データを前記書込み装置へ送信するとともに、前記分割画像データを記憶装置の記憶領域に記憶する分割画像形成手段と、
前記分割画像データが占有する分割画像データ領域と前記分割画像間に発生する位置ずれの検出結果に基づいて作成される位置ずれ領域とからなる補正画像データ領域を前記記憶装置内に新たに作成し、前記分割画像データを前記検出結果に基づいて前記分割画像の位置ずれを補正するように前記補正画像データ領域内に配置させて補正画像データを形成し、前記補正画像データを前記記憶装置に記憶させる補正手段と、
前記補正手段によって形成された前記補正画像データに基づいて、前記記録部材表面に補正画像を形成する画像形成手段と、
を具備する画像形成装置。
【請求項２】
前記分割画像形成手段において、前記記憶装置は二以上に分割された前記分割画像データをそれぞれ別個の記憶領域に記憶させる請求項１記載の画像形成装置。
【請求項３】
前記分割画像形成手段において、前記分割画像には、前記分割画像間における相対的な位置を識別可能とする識別画像が配置されている請求項１又は２記載の画像形成装置。
【請求項４】
前記識別画像は、前記原画像と異なる形状を有しており、それぞれの前記分割画像間に跨るように配置される請求項３記載の画像形成装置。
【請求項５】
前記識別画像は、前記原画像と異なる形状を有しており、それぞれの前記分割画像の端部に配置される請求項３記載の画像形成装置。
【請求項６】
前記識別画像は、前記原画像と異なる形状を有しており、前記原画像の近傍に配置されている請求項３記載の画像形成装置。
【請求項７】
前記補正手段において、前記補正画像データ領域は前記分割画像データ領域と前記位置ずれ領域と前記識別画像を構成する識別画像データが配置される識別画像データ領域とを包含するように形成されており、前記補正画像データ領域には前記分割画像データと前記識別画像データとが配置されて、前記補正画像データ領域は前記識別画像が配置されている部分が、互いに隣接する前記補正画像データ領域と重なるように配置される請求項３記載の画像形成装置。
【請求項８】
前記識別画像は、前記分割画像の位置ずれ量が測定可能な形状を有する請求項４ないし７のいずれか一記載の画像形成装置。
【請求項９】
前記識別画像は、複数の異なる形状を有する請求項４ないし８のいずれか一記載の画像形成装置。
【請求項１０】
一つの原画像からなる原画像データを二以上の分割画像データに分割して、前記分割画像データに基づいて分割画像を前記書込み装置によって書込むとともに前記分割画像データを記憶装置の記憶領域に記憶する分割画像形成工程と、
前記分割画像形成工程で得られる作像結果から位置ずれ量を検出して前記検出結果から求められる位置ずれ領域と前記分割画像データが占有する分割画像データ領域とから補正画像データ領域を前記記憶装置内に新たに作成し、前記補正画像データ領域における前記位置ずれを補正させるために適切な位置に前記分割画像データを配置して補正画像データを作成し、前記記憶装置に記憶させる補正工程と、
前記補正工程で新たに形成された補正画像データを用いて前記記録部材表面に位置ずれが補正された補正画像を形成させる画像形成工程と、
を具備する画像形成方法。
【請求項１１】
前記分割画像形成工程において、前記分割画像データは前記記憶装置内にそれぞれ別個に設けられる記憶領域に記憶される請求項１０記載の画像形成方法。
【請求項１２】
前記分割画像形成工程において、一つの原画像データが分割される前に前記分割画像間の相対的な位置を識別可能とする識別画像を配置する請求項１０又は１１記載の画像形成方法。
【請求項１３】
前記識別画像は、前記原画像と異なる形状を有しており、それぞれの前記分割画像間に跨るように配置されている請求項１２記載の画像形成方法。
【請求項１４】
前記識別画像は、前記原画像と異なる形状を有しており、それぞれの前記分割画像の端部に配置されている請求項１２記載の画像形成方法。
【請求項１５】
前記識別画像は、前記原画像と異なる形状を有しており、前記原画像の近傍に配置されている請求項１２記載の画像形成方法。
【請求項１６】
前記補正工程において、前記補正画像データ領域は前記分割画像データ領域と前記位置ずれ領域と前記識別画像を構成する識別画像データが配置される識別画像データ領域とを包含するように形成されており、前記補正画像データ領域には前記分割画像データと前記識別画像データとが配置されて、前記補正画像データ領域は互いに隣接する前記補正画像データ領域と重なるように配置され、その重なる部分には識別画像データの一部が配置されている請求項１２記載の画像形成方法。
【請求項１７】
前記識別画像は、前記分割画像の位置ずれ量が測定可能となるように形成されて前記補正画像データ領域内に配置されている請求項１３ないし１６のいずれか一記載の画像形成方法。
【請求項１８】
前記識別画像は、複数の異なる形状から形成されている、請求項１３ないし１７のいずれか一記載の画像形成方法。
【発明の詳細な説明】
【０００１】
【発明の属する技術分野】
本発明は、原画像に基づく原画像データを二以上に分割し、その分割画像データに基づいて予め所定の位置に設置されている二以上の書込み装置によって記録部材表面上に画像形成を行う画像形成装置及び画像形成方法に関する。
【０００２】
【従来の技術】
画像形成方法において、記録部材表面上に画像を形成する場合には、その表面上に書込み装置が原画像データに基づく画像を形成することにより行う。記録部材の表面上に画像形成をする方式には、単一の書込み装置が単一の画像データに基づいて画像形成を行う方式と、単一の画像データを二以上に分割して分割画像データを作成し、それらの分割画像データに基づいて複数の書込み装置が記録部材の表面上に画像形成を行う方式とがある。
【０００３】
複数の書込み装置によって記録部材の表面上に分割画像データを一直線上に形成する場合は、複数の書込み装置を設置する際の機械的精度を向上させる必要がある。しかし、現実には、分割画像データ間に位置ずれが生じない程の機械的精度で複数の書込み装置を設置することは困難で、分割画像データ間に位置ずれを生じる場合が多い。このため、書込み装置によって形成された画像に位置ずれを生じさせずに形成するためには、各分割画像データの位置ずれを修正する必要が生じる。
【０００４】
このような場合、各分割画像間に発生する位置ずれを修正する方法の一例として、ドラム形状を有する記録装置を回転させて回転方向における位置検出を行い、書込み装置はその検出された位置に対して書込みを開始する時間を調節して画像の位置ずれを補正する方法が公開されている（例えば特許文献１参照）。
【０００５】
【特許文献１】
特許第３０６７９４２号公報
【０００６】
【発明が解決しようとする課題】
しかし、特許文献１による画像補正方法は、書込み装置から発生するエネルギー束が等間隔に照射されることを前提としており、書込み装置が等間隔に設置されていない場合には各分割画像間の位置ずれの補正ができないという問題点を有する。このような場合に、特許文献１に記載されている画像補正方法を行っても、各画像形成装置が形成する各分割画像間の重複や隙間を取り除くことはできない。
【０００７】
また、特許文献１による画像補正方法は、画像補正を行う際に、基準とした時間に対する画像形成を開始する開始時間を変化させることにより画像の位置ずれを補正するので、そのための制御や管理が煩雑になるという問題点も有する。
【０００８】
本発明の目的は、二以上に分割された画像データを容易につなぎ合わせ、各分割画像間の位置ずれを解消することである。
【０００９】
【課題を解決するための手段】
請求項１記載の発明は、一つの原画像データを分割して得られる分割画像データに基づいて記録部材表面に分割画像を書込むことにより前記記録部材表面に一つの画像を形成する二以上の書込み装置と、前記分割画像データを作成し、前記分割画像データを前記書込み装置へ送信するとともに、前記分割画像データを記憶装置の記憶領域に記憶する分割画像形成手段と、前記分割画像データが占有する分割画像データ領域と前記分割画像間に発生する位置ずれの検出結果に基づいて作成される位置ずれ領域とからなる補正画像データ領域を前記記憶装置内に新たに作成し、前記分割画像データを前記検出結果に基づいて前記分割画像の位置ずれを補正するように前記補正画像データ領域内に配置させて補正画像データを形成し、前記補正画像データを前記記憶装置に記憶させる補正手段と、前記補正手段によって形成された前記補正画像データに基づいて、前記記録部材表面に補正画像を形成する画像形成手段とを具備する。
【００１０】
したがって、一つの原画像データを二以上に分割して分割画像データを作成し、分割画像データ間に発生する位置ずれ量を検出した検出結果から位置ずれ領域を作成し、分割画像データが占有する分割画像データ領域と位置ずれ領域とを包含する補正画像データ領域を新たに形成して、補正画像データ領域内に分割画像データを取り込み、画像形成を行った場合に各分割画像間の位置ずれが補正される位置に配置することにより、各分割画像間に発生する位置ずれを除去することが可能になる。
【００１１】
請求項２記載の発明は、請求項１記載の発明において、前記分割画像形成手段において、前記記憶装置は二以上に分割された前記分割画像データをそれぞれ別個の記憶領域に記憶させる。
【００１２】
したがって、記憶装置内には各分割画像データの記憶領域がそれぞれ独立に設けられているので、各分割画像データにおけるデータ管理等の煩雑さを解消することが可能になる。
【００１３】
請求項３記載の発明は、請求項１又は２記載の発明において、前記分割画像形成手段において、前記分割画像には、前記分割画像間における相対的な位置を識別可能とする識別画像が配置されている。
【００１４】
したがって、各分割画像データ間の相対的な位置を認識可能にする識別画像が配置されることにより、各分割画像間の相対的な位置ずれを認識することが可能になるとともに、位置ずれを除去する際にもそれらの相対的位置を確認して位置ずれ量の補正が行えるようになるので、分割画像間における位置ずれの補正を簡便に行うことが可能になる。
【００１５】
請求項４記載の発明は、請求項３記載の発明において、前記識別画像は、前記原画像と異なる形状を有しており、それぞれの前記分割画像間に跨るように配置される。
【００１６】
したがって、識別画像には原画像と異なる形状のものが用いられ、その識別画像は各分割画像データ間に跨るように配置されているので、各分割画像の境界が容易に認識できるようになり、分割画像間に隙間が発生する場合には、容易に分割画像の画像形成領域を確認することが可能になるとともに、分割画像間に発生する位置ずれを確認できる場所が増加するので、位置ずれ補正の精度を向上させることが可能になる。
【００１７】
請求項５記載の発明は、請求項３記載の発明において、前記識別画像は、前記原画像と異なる形状を有しており、それぞれの前記分割画像の端部に配置される。
【００１８】
したがって、原画像と異なる形状を有する識別画像を各分割画像の端部に配置することにより、各分割画像間の一部が重なって画像形成された場合等にその重なりの程度を容易に確認することが可能になる。
【００１９】
請求項６記載の発明は、請求項３記載の発明において、前記識別画像は、前記原画像と異なる形状を有しており、前記原画像の近傍に配置されている。
【００２０】
したがって、原画像と異なる形状を有する識別画像を原画像の近傍に配置させることにより、例えば位置ずれの程度を拡大鏡等を用いて測定する場合に拡大鏡等を移動させずに原稿画像と識別画像を確認することが可能になり、位置ずれの程度を容易に測定することが可能になる。
【００２１】
請求項７記載の発明は、請求項３記載の発明において、前記補正手段において、前記補正画像データ領域は前記分割画像データ領域と前記位置ずれ領域と前記識別画像を構成する識別画像データが配置される識別画像データ領域とを包含するように形成されており、前記補正画像データ領域には前記分割画像データと前記識別画像データとが配置されて、前記補正画像データ領域は前記識別画像が配置されている部分が、互いに隣接する前記補正画像データ領域と重なるように配置される。
【００２２】
したがって、前記補正画像データ領域は前記分割画像データ領域と前記位置ずれ領域と前記識別画像を構成する識別画像データが配置される識別画像データ領域とを包含するように形成されて、補正画像データ領域内において分割画像データと識別画像データとが配置され、補正画像データ領域のうち識別画像データが配置されている部分は、互いに隣接する補正画像データ領域と重なるように配置されているので、分割画像間に隙間が生じた場合には、その隙間に分割画像と隣接して配置されている識別画像が表示され、分割画像間の隙間量を容易に認識することが可能になる。
【００２３】
請求項８記載の発明は請求項４ないし７のいずれか一記載の発明において、前記識別画像は、前記分割画像の位置ずれ量が測定可能な形状を有する。
【００２４】
したがって、識別画像を分割画像の位置ずれ量の測定が可能な形状にすることにより、容易に互いに隣接する分割画像間における位置ずれ量を測定することが可能になる。
【００２５】
請求項９記載の発明は、請求項４ないし８のいずれか一記載の発明において、前記識別画像は、複数の異なる形状を有する。
【００２６】
したがって、形状が異なる複数の識別画像を用いることにより、互いに隣接する分割画像間において位置ずれが生じている場合に、分割画像間の複数の箇所で位置ずれの補正を行うことが可能になるので、複数の箇所において位置ずれの程度を把握することが可能になるとともに、位置ずれの補正の精度も向上させることが可能になる。
【００２７】
請求項１０記載の発明は、一つの原画像からなる原画像データを二以上の分割画像データに分割して、前記分割画像データに基づいて分割画像を前記書込み装置によって書込むとともに前記分割画像データを記憶装置の記憶領域に記憶する分割画像形成工程と、前記分割画像形成工程で得られる作像結果から位置ずれ量を検出して前記検出結果から求められる位置ずれ領域と前記分割画像データが占有する分割画像データ領域とから補正画像データ領域を前記記憶装置内に新たに作成し、前記補正画像データ領域における前記位置ずれを補正させるために適切な位置に前記分割画像データを配置して補正画像データを作成し、前記記憶装置に記憶させる補正工程と、前記補正工程で新たに形成された補正画像データを用いて前記記録部材表面に位置ずれが補正された補正画像を形成させる画像形成工程とを具備する。
【００２８】
したがって、一つの原画像データを二以上に分割して分割画像データを作成し、分割画像データ間に発生する位置ずれ量を検出した検出結果から位置ずれ領域を作成し、分割画像データが占有する分割画像データ領域と位置ずれ領域とを包含する補正画像データ領域を新たに形成して、補正画像データ領域内に分割画像データを取り込み、画像形成を行った場合に各分割画像間の位置ずれが補正される位置に配置することにより、各分割画像間に発生する位置ずれを除去することが可能になる。
【００２９】
請求項１１記載の発明は、請求項１０記載の発明において、前記分割画像形成工程において、前記分割画像データは記憶装置内にそれぞれ別個に設けられる記憶領域に記憶される。
【００３０】
したがって、記憶装置内には各分割画像データの記憶領域がそれぞれ独立に設けられているので、各分割画像データにおけるデータ管理等の煩雑さを解消することが可能になる。
【００３１】
請求項１２記載の発明は、請求項１０又は１１記載の発明において、前記分割画像形成工程において、一つの原画像データが分割される前に前記分割画像間の相対的な位置を識別可能とする識別画像を配置する。
【００３２】
したがって、各分割画像データ間の相対的な位置を認識可能にする識別画像が配置されることにより、各分割画像間の相対的な位置ずれを認識することが可能になるとともに、位置ずれを除去する際にもそれらの相対的位置を確認して位置ずれ量の補正が行えるようになるので、分割画像間における位置ずれの補正を簡便に行うことが可能になる。
【００３３】
請求項１３記載の発明は、請求項１２記載の発明において、前記識別画像は、前記原画像と異なる形状を有しており、それぞれの前記分割画像間に跨るように配置されている。
【００３４】
したがって、識別画像には原画像と異なる形状のものが用いられ、その識別画像は各分割画像データ間に跨るように配置されているので、各分割画像の境界が容易に認識できるようになり、分割画像間に隙間が発生する場合には、容易に分割画像の画像形成領域を確認することが可能になるとともに、分割画像間に発生する位置ずれを確認できる場所が増加するので、位置ずれ補正の精度を向上させることが可能になる。
【００３５】
請求項１４記載の発明は、請求項１２記載の発明において、前記識別画像は、前記原画像と異なる形状を有しており、それぞれの前記分割画像の端部に配置されている。
【００３６】
したがって、原画像と異なる形状を有する識別画像を各分割画像の端部に配置することにより、各分割画像間の一部が重なって画像形成された場合等にその重なりの程度を容易に確認することが可能になる。
【００３７】
請求項１５記載の発明は、請求項１２記載の発明において、前記識別画像は、前記原画像と異なる形状を有しており、前記原画像の近傍に配置されている。
【００３８】
したがって、原画像と異なる形状を有する識別画像を原画像の近傍に配置させることにより、例えば位置ずれの程度を拡大鏡等を用いて測定する場合に拡大鏡等を移動させずに原稿画像と識別画像を確認することが可能になり、位置ずれの程度を容易に測定することが可能になる。
【００３９】
請求項１６記載の発明は、請求項１２記載の発明において、前記補正工程において、前記補正画像データ領域は前記分割画像データ領域と前記位置ずれ領域と前記識別画像を構成する識別画像データが配置される識別画像データ領域とを包含するように形成されており、前記補正画像データ領域には前記分割画像データと前記識別画像データとが配置されて、前記補正画像データ領域は互いに隣接する前記補正画像データ領域と重なるように配置され、その重なる部分には識別画像データの一部が配置されている。
【００４０】
したがって、前記補正画像データ領域は前記分割画像データ領域と前記位置ずれ領域と前記識別画像を構成する識別画像データが配置される識別画像データ領域とを包含するように形成されて、補正画像データ領域内に分割画像データと識別画像データが配置され、補正画像データ領域の一部は互いに隣接する補正画像データ領域と重なるように配置され、その重なる部分には識別画像データの一部が配置されているので、分割画像間に隙間が生じた場合には、その隙間に分割画像と隣接して配置されている識別画像が表示され、分割画像間の隙間量を容易に認識することが可能になる。
【００４１】
請求項１７記載の発明は、請求項１３ないし１６のいずれか一記載の発明において、前記識別画像は、前記分割画像の位置ずれ量が測定可能となるように形成されて前記補正画像データ領域内に配置されている。
【００４２】
したがって、識別画像を分割画像の位置ずれ量の測定が可能な形状にすることにより、容易に互いに隣接する分割画像間における位置ずれ量を測定することが可能になる。
【００４３】
請求項１８記載の発明は、請求項１３ないし１７のいずれか一記載の発明において、前記識別画像は、複数の異なる形状から形成されている。
【００４４】
したがって、形状が異なる複数の識別画像を用いることにより、互いに隣接する分割画像間において位置ずれが生じている場合に、分割画像間の複数の箇所で位置ずれの補正を行うことが可能になるので、複数の箇所において位置ずれの程度を把握することが可能になるとともに、位置ずれの補正の精度も向上させることが可能になる。
【００４５】
【発明の実施の形態】
本発明の第一の実施の形態について図１ないし図７に基づいて説明する。図１は、本実施の形態である画像形成装置の概略的な構成を示す分解斜視図である。
【００４６】
画像形成装置１には、ドラム２と３台の書込み装置３とが備えられている。ドラム２は、その円周面の表面又は裏面には画像形成に用いられる記録部材である版材４が巻き付けられる。版材４は、例えばクランプ機構のような固定機構によってドラム２の円周面上に固定されている。また、ドラム２は、回転軸を中心として回転自在に設けられており、回転軸５に取付けられた図示しない駆動手段により回転駆動される。ドラム２の回転速度が把握できるように、駆動手段には例えばステッピングモータやサーボモータ等が使用されている。
【００４７】
ドラム２の一方の端部には、遮光部材６が半径方向に延出しており、ドラム２と共に回転する。また、ドラム２の軸方向に対する遮光部材６の回転位置の一部には、凹型の形状を有する検出部材７が設けられている。検出部材７は、一方の側部には図示しない光源が設けられ、他方の側部には光源が発する光を検出する図示しない検出器が設けられたフォトインタラプタ構成である。
【００４８】
このとき、ドラム２が回転し、検出部材７の凹部に遮光部材６が位置すると、光源から検出器への光が遮光部材６によって遮光される。また、ドラム２が回転し、遮光部材６が検出部材７の凹部から離反すると、検出器には光源からの光が到達する。遮光部材６によって遮光される位置で検出される検出信号をオフ信号、光が到達する位置で検出される検出信号をオン信号とし、オフ信号の位置をドラム２の原点とする設定をしておくことにより、ドラム２の回転方向における原点を決定することができる。
【００４９】
書込み装置３は、ドラム２の円周面の表面又は裏面に巻き付けられた版材４の版面に画像を形成する装置である。画像を形成する手段には、例えば、半導体レーザやＬＥＤのような光学素子が用いられている。版材４の表面に画像を形成する場合には、光学素子の発する光ビームが結像するように、版材４と光学素子との間には集光レンズ等が設けられている。
【００５０】
なお、画像形成手段には電熱素子等が用いられても良い。画像形成手段として電熱素子を用いる場合には、電熱素子を版材４の表面と接触させるように配置させて画像形成を行う。
【００５１】
走査台８は、その上面に書込み装置３が設置されており、ボールネジやリニアモータ等によってドラム２の軸方向に移動可能に設置されている。走査台８が移動を開始する走査台原点９は、版材４への画像形成を開始する位置と対応するように設けられている。走査台原点９には、図示しないセンサが設けられており、センサは走査台８の位置と走査台原点９との位置が一致する時点を検出し、検出信号を図示しない制御装置に送信する。制御装置は、検出信号に基づいて走査台８が走査台原点９に達したかを判別する。
【００５２】
次いで、本実施の形態の画像形成装置において、各分割画像間に生じる位置ずれを補正する一連のプロセスについて、図２に基づいて説明する。図２は、本実施の形態の画像形成装置に備えられている書込み装置がドラムに巻き付けられた版材へ書き込みをする際に、各分割画像間に発生する位置ずれを補正する一連のステップについて示すフローチャートである。
【００５３】
なお、一連のプロセスについて、適宜具体例を用いて説明する。具体例では、３台の書込み装置３が配置されており、最終的に図４に示す「あ」の画像を得る場合を想定して説明する。また、各ステップにおける画像の構成、配置等の一例をそれぞれ図４、図５及び図６に示す。
【００５４】
原画像データ１０に基づいて版材４に画像を形成する場合には、まず、走査台８の位置を走査台原点９に移動する（ステップＳ１）。走査台原点９は、走査台８に設けられている図示しないセンサによって検出される。次に、ドラム２を回転させ（ステップＳ２）、例えば前述した手段を用いてドラム２の回転方向における原点を検出する（ステップＳ３）。このとき、検出器で検出される検出信号は、ドラム２が一回転する毎に制御装置へ通知される。
【００５５】
続いて、３台の書込み装置３が有する画像領域の範囲に基づいて、単一の画像データを分割し、分割画像データを作成する（ステップＳ４）。このとき、例えば図４に示す画像は、図４に示すように第一の分割画像データ１１、第二の分割画像データ１２及び第三の分割画像データ１３に３分割される。次に、３分割された各分割画像データをドラム２の回転方向に一列ずつ図示しない記憶装置へ送信し、記憶装置に逐次記憶させつつ（ステップＳ５）、書込み装置３へも送信する（ステップＳ６）。書込み装置３は、ドラム２の回転原点をスタート信号として、逐次送信されるデータに基づいて逐次ドラム２の表面に分割画像を形成する。
【００５６】
続いて、一列分の分割画像データの記憶及び版材４への画像形成が終了すると、走査台８を一画素分移動させ（ステップＳ７）、一画素分移動させた列に対応する分割画像データの有無を確認する（ステップＳ８）。ここで、一画素分移動した位置に対応する分割画像データがある場合には、ステップＳ２からの動作を繰り返し行う。また、一画素分移動した位置に対応する分割画像データがない場合には、版材４の表面に形成された画像に基づいて画像形成を行う（ステップＳ９）。次に、操作者は、例えば顕微鏡等の拡大鏡を使用して形成された画像に生じている位置ずれ量を測定する（ステップＳ１０）。
【００５７】
続いて、ステップＳ１０で測定した位置ずれ量に基づいて、原画像データ及び分割画像データが記憶されている記憶領域とは別個の領域へ新たに補正画像データ領域を形成する（ステップＳ１１）。この補正画像データ領域は、各分割画像データ毎に別個に形成されており、分割画像データが占有する領域とステップＳ１０で測定した各分割画像間の上下左右方向における位置ずれを包含する位置ずれ領域１４とを加算した範囲を有する。
【００５８】
例えば、図５に示すように第二の分割画像データに位置ずれが生じている画像については、補正画像データ領域の水平方向は、第三の分割画像データとの間に生じている隙間を埋めるように形成され、高さ方向では第一の分割画像データ及び第三の分割画像データとの間に生じる高さ方向のずれ量に相当する領域をカバーするように形成される。
【００５９】
続いて、補正画像データ領域に分割画像データを取り込み、補正画像データ領域内で所定の位置に配置する（ステップＳ１２）。例えば、図５に示すような位置ずれが生じている場合には、各分割画像データのうち最も低く形成されている第二の分割画像データは、補正画像データ領域においては図６に示すように、つまり補正画像データ領域の上端から配置し、第一の分割画像データ及び第三の分割画像データは、第二の分割画像データとの間で生じている高さ方向の位置ずれ量分だけ第二の分割画像データより下方に配置する。水平方向については、第一の分割画像データと重なり、第三の分割画像データとは隙間を生じて配置されている第二の分割画像データは、補正画像データ領域内では右端に配置する。従って、補正画像データ領域内においては、第一の分割画像データとの間では、第二の分割画像データは隙間が生じるように配置され、第三の分割画像データとは隣接するように配置される。
【００６０】
続いて、補正画像データ領域に形成された画像に基づいて、版材４に画像形成を行う（ステップＳ１３）。次に、操作者は、例えば顕微鏡等の拡大鏡を使用して形成された画像に生じている位置ずれ量を再度測定し、各分割画像間に生じる位置ずれが１ドット以下であるかを確認する（ステップＳ１４）。ここで、各分割画像間に生じる位置ずれが１ドット以上有する場合には、ステップＳ１０からのステップを繰り返し行い、位置ずれ量が１ドット以下になるように調整を繰り返す。また、ステップＳ１３において、各分割画像間における位置ずれ量が１ドット以下である場合には、その補正画像データを記憶領域に記憶する（ステップＳ１５）。
【００６１】
このようなプロセスを経て分割画像データ間における位置ずれを除去し、版材４に画像形成を行うことにより、各分割画像間の位置ずれを除去された画像を形成することが可能になる。
【００６２】
以上のプロセスによる配置方法は、次のように表すことが可能である。なお、ここでは、書込み手段にレーザを用いた書込み装置を使用する場合について説明する。
【００６３】
１本目のレーザの書込み開始位置を原点とし、主走査方向をｙ、副走査方向をｘとする。また、書き込むレーザの数をｎ本、副走査の幅をｗドット、原画像の高さをｈドット、その幅をＸ０ドットとする。また、ｍ番目のレーザが書き込みをはじめる副走査方向の位置をｘｂｍ、書き込みを終了する位置をｘｅｍ（＝ｘｂｍ＋ｗ）、主走査方向の位置をｙｍ、ｍ番目のレーザとｍ＋１番目のレーザの主走査方向と副走査方向の書き込み位置のずれをΔｙｍ、Δｗｍとすると、式（１）のように表せる。
【００６４】
【数１】
2004147260.tif 000003
【００６５】
この画像のずれをもとに補正画像データ領域を作成する。補正画像データ領域のサイズＸ及びＹを式（２）のように決定する。
2004147260.tif 000004
ここで、ｍａｘ（）は引数の最大値、ｍｉｎ（）は引数の最小値を表す。
【００６６】
補正画像データ領域は、事前に書き込みされない値に初期化する。そして、補正画像データ領域内に分割画像データを取り込み、補正画像データ領域内に配置する。ここで、（ｘｂ，ｙｂ）−（ｘｅ，ｙｅ）は、原画像の座標（ｘｂ，ｙｂ）から（ｘｅ，ｙｅ）の矩形領域を表すとする。Δｗ０＝０として、ｍ＝１，２，３，…，Ｎにおいて、式（３）で表せる分割画像データの矩形領域を、式（４）で表せる補正画像データ領域へ配置する。配置された補正画像データに基づいて画像形成を行う。
【００６７】
【数２】
2004147260.tif 000005
【００６８】
上述した式の関係について、図７ないし図１０に基づいて説明する。図７は、一つの原画像に対して各書込み装置が画像形成を担当する領域を示す模式図、図８は、書込み装置に位置ずれが生じている場合に、各書込み装置が画像形成を行う領域を示す模式図、図９は、各分割画像間に位置ずれが生じている場合の位置ずれ量を示す模式図、図１０は、各分割画像データを補正画像データ領域に取り込み、補正が行われた状態の各分割画像の配置例を示す模式図である。
【００６９】
一つの原画像をＮ分割した場合に、各書込み装置３が画像形成を行う際の担当領域は、図７に示すようになる。図７に示す書き込み可能な範囲を有する書込み装置３を用いて、これをそのまま版材４へ画像形成すると、書込み装置３の位置ずれによって図８に示すように画像形成が行われる。図８において、細字の点線で囲まれた領域が、書込み装置３によって実際に画像形成が行われる領域であり、画像形成を行うと図８に示すような位置ずれが発生した画像が形成される。このとき、各分割画像間に発生する位置ずれ量は、上述の式で用いた記号を使用すると、上述の式と位置ずれ量との間には図９に示すような関係がある。図９及び上述の式から、各分割画像間に生じる位置ずれ量を求め、この位置ずれ量と分割画像データ領域とに基づいて、新たに補正画像データ領域が形成される。補正画像データ領域に分割画像データを取り込み、位置ずれ量に基づいた位置に補正すると、各分割画像データが図１０に示すように配置される補正画像データを得ることが可能になる。この補正画像データに基づいて画像形成すると、位置ずれが生じない一つの画像が形成される。
【００７０】
なお、ｘｍ及びｙｍの値は直接測定するのと比較すると、版材４の表面上に形成された画像からΔｙｍ及びΔｗｍを観測し、これらの値から逆算する方が容易である。
【００７１】
次いで、本発明の第二の実施の形態について、図１１及び図１２に基づいて説明する。図１１は、分割されている原稿画像とは別個に識別画像としてテストパターンが配置されている画像を示す模式図、図１２は、各分割画像データ間において位置ずれを生じた分割画像の位置関係を示す模式図である。ここでは、本発明の第一の実施の形態の具体例として用いた「あ」の画像を用いて説明する。なお、画像補正の一連のプロセスは、本発明の第一の実施の形態で説明したものと同様であるので、本実施の形態では、同一の部分については同一符号を用い、また説明も省略する。
【００７２】
図１１に示すように、本実施の形態では、互いに隣接する各分割画像データの境界に水平方向の直線で示されているテストパターン１５が３箇所に設けられている。また、これらのテストパターン１５のほかに、各分割画像間に形成されている原稿画像もテストパターンとしての機能を有する。なお、ここでは、各分割画像間に位置ずれによるテストパターン１５の位置関係についてのみ説明する。
【００７３】
各分割画像に位置ずれが生じていない状態では、テストパターン１５は図１１に示すように水平方向に直線として示される。しかし、位置ずれが生じると、テストパターン１５は２つに分離する。
【００７４】
互いに隣接する分割画像データ間に位置ずれが生じた場合の一例を図１２に示す。図１２は、第二の分割画像データ１２が左下方向に位置ずれをおこし、第一の分割画像データ１１との間では重なり、第三の分割画像データ１３との間では隙間が生じている状態の画像配置を示す模式図である。この図では、第二の分割画像データ１２が左下方向に位置ずれを生じているため、第一の分割画像データ１１と第二の分割画像データ１２との間に設けられたテストパターン１５及び第二の分割画像データ１２と第三の分割画像データ１３との間に設けられたテストパターン１５は分離している。
【００７５】
このテストパターン１５のずれによって、各分割画像データ間に生じている位置ずれの程度を容易に把握することが可能である。つまり、最終的に一致させるべきテストパターン１５の位置がずれているのであるから、テストパターン１５を構成する線の位置を揃えることで、各分割画像データ間に生じている位置ずれを補正することが可能になり、簡便に各分割画像データの位置ずれを補正することが可能になる。
【００７６】
なお、本実施の形態では、識別画像であるテストパターンの一例として、水平な線を各分割画像データ間に跨るように配置したが、テストパターンは各分割画像データ間の境界が認識できるものであれば、例えば垂直の線、格子状の模様又は市松模様等であってもよい。
【００７７】
また、本実施の形態では、テストパターンは、原稿画像とは別個に設けられた直線の画像と原稿画像であったが、原稿画像のみをテストパターンとして用いてもよい。
【００７８】
次いで、本発明の第三の実施の形態について、図１３ないし図２０に基づいて説明する。図１３は、識別画像として埋め込み画像が配置された画像の一例を示す模式図、図１４は、埋め込み画像の一例を示す模式図で（ａ）は第一の埋め込み画像、（ｂ）は第二の埋め込み画像について示す模式図、図１５は、第一の埋め込み画像及び第二の埋め込み画像が配置された分割画像データの位置関係について示す模式図、図１６は、各分割画像データ間において位置ずれを生じた画像の一例を示す模式図、図１７は、互いに隣接する分割画像データの位置関係によって、第一の埋め込み画像と第二の埋め込み画像とが形成するパターンの一例について示す模式図で、（ａ）は分割画像データ間に位置ずれがない場合、（ｂ）は分割画像データ間が重なる場合、（ｃ）は分割画像データ間に隙間が生じた場合について示している。図１８は、第三の埋め込み画像の形状について示す模式図、図１９は、第三の埋め込み画像が配置された場合の分割画像データとの位置関係について示す模式図、図２０は、分割画像間に隙間が生じた場合の各分割画像と第三の埋め込み画像と位置関係について示す模式図である。
【００７９】
ここでは、本発明の第一の実施の形態の具体例として用いた「あ」の画像を用いて説明する。なお、画像補正の一連のプロセスは、本発明の第一の実施の形態で説明したものと同様であるので、本実施の形態では、同一の部分については同一符号で示し、また説明も省略する。
【００８０】
図１３に示すように、本実施の形態では、互いに隣接する各分割画像データ端面部分に埋め込み画像１６が配置されている。この埋め込み画像１６は、スキャナ２が読み取った原画像とは別個の画像であり、図１４に示すような形状を有する。つまり、埋め込み画像１６には、水平方向の画素の間隔を判別する目盛りが上向きに延出し垂直方向の画素の間隔を判別する目盛りが左向きに延出しそれらの周囲に山状の図形が描かれた第一の埋め込み画像１７と、水平方向の画素の間隔を判別する目盛りが下向きに延出しその左方にはブロック状の画像が配置されその周囲に山状の図形が描かれた第二の埋め込み画像１８との２種類がある。各分割画像データ間の端部では、同一の形状を有する埋め込み画像１６が重複しないように配置されており、埋め込み画像１６に形成されている目盛りは、ドット単位での位置ずれの測定が可能である。
【００８１】
次いで、埋め込み画像が配置される位置について、図１５に基づいて説明する。
【００８２】
前述した埋め込み画像１６は、書込み装置３の境界で並んで画像形成される場所、つまり、各分割画像の端部に埋め込まれる。例えば、ｍ番目の書込み装置３が画像形成を行う領域では図１５に示すような位置に第一の埋め込み画像１７と第二の埋め込み画像１８とを埋め込む。ここで、ａとは、分割画像が形成される画像上部からの位置を表している。第一の埋め込み画像１７及び第二の埋め込み画像１８は、すべての分割画像について、このようにな位置に埋め込まれる。
【００８３】
次いで、第一の埋め込み画像及び第二の埋め込み画像が埋め込まれた各分割画像に関する分割画像データを補正画像データ領域に取り込んだ場合に、互いに隣接する分割画像間において位置ずれが発生している際に、第一の埋め込み画像と第二の埋め込み画像とが形成するパターンの変化について、図１６及び図１７に基づいて説明する。
【００８４】
図１３に示すように、互いに隣接する分割画像間において位置ずれがない場合には、各分割画像間に形成される第一の埋め込み画像１７と第二の埋め込み画像１８とが形成するパターンは、図１７（ａ）のように形成される。また、図１６に示すように、各分割画像間に位置ずれが発生し、各分割画像間に重なりが生じている場合には、各分割画像データ間に形成される第一の埋め込み画像１７及び第二の埋め込み画像１８も重なり合うので、図１７（ｂ）のようなパターンが形成される。このとき、第一の埋め込み画像１７と第二の埋め込み画像１８とが形成するパターンの目盛りから、これらの位置ずれ量を読み取ると、例えばΔｗｍ＝−１１、Δｙ＝１というような値が得られ、画像の位置ずれ量を容易に読み取ることが可能である。
【００８５】
更に、各分割画像データ間に隙間が生じている場合には、第一の埋め込み画像１７と第二の埋め込み画像１８との間にも隙間が生じるので、図１７（ｃ）のようなパターンが形成される。
【００８６】
この場合は、第一の埋め込み画像１７と第二の埋め込み画像１８との間に目盛りがないため、互いに隣接する分割画像間に発生する位置ずれ量を測定する場合には、例えば図１８に示すような形状を有する第三の埋め込み画像１９を補正画像データ領域の端部に分割画像と隣接するように新たに埋め込む。
【００８７】
図１８において、第三の埋め込み画像１９は、画素の間隔が判別可能な目盛りが水平方向及び垂直方向に形成されており、水平方向の間隔を判別する目盛り（垂直方向に延出する目盛り）は上方向に延出し、垂直方向の間隔を判別する目盛り（水平方向に延出する目盛り）は左方向に延出するように形成されている。この目盛りは、ドット単位の位置ずれの測定が可能である。
【００８８】
この場合の補正画像データ領域は、通常の補正画像データ領域より大きく形成されており、補正画像データ領域内のうち第三の埋め込み画像１９が埋め込まれている部分については、隣接する補正画像データ領域と重なるように配置されている。
補正画像データ領域を大きく形成するには、例えば式（１）のΔｗＮをｍａｘ（Δｗ１，Δｗ２，…，ΔｗＮ−１）より大きな値とすることで、互いに隣接する書込み装置の境界が重なる領域を有するように画像形成することが可能になる。そして、第三の埋め込み画像１９を図１９に示すように配置する。このとき、ｍ番目の領域に埋め込まれた画像がｍ＋１番目の領域に書き込まれないようにする。
【００８９】
このように、補正画像データ領域の端部に第三の埋め込み画像１９を埋め込むと、図２０に示すように、各分割画像間に隙間が生じた場合などは第三の埋め込み画像１９が各分割画像間に形成されるので、第三の埋め込み画像１９に形成された目盛りによって隙間量の測定が可能になる。
【００９０】
また、補正量を確認するために、位置ずれ量を表すコードを補正画像データ領域に埋め込む。例えば、ｍ番目の画像形成装置の領域Ｖｍに、ΔＷｍ、ｙｍ、ｗ、Δｙｍ等の値をコードとして埋め込む。コードは、数値を文字として表したり、値の大きさをバーコードや２次元バーコード等で表したり、２進数化して埋め込む。これにより、画像形成された結果がどのような補正を行った結果かを容易に把握することが可能である。
【００９１】
本実施の形態では、水平方向に位置ずれが生じた場合についてのみ説明したが、本実施の形態で用いている埋め込み画像には垂直方向の位置ずれ量を測定する目盛りも配置されているので、各分割画像データ間において垂直方向に位置ずれが生じている場合であっても、位置ずれ量の測定を簡便に行うことが可能であり、また、この測定結果を用いて画像の補正も容易に行うことが可能になる。
【００９２】
なお、本実施の形態では、埋め込み画像を各分割画像データに一箇所ずつ配置したが、埋め込み画像を複数配置してもよい。
【００９３】
本実施の形態では、埋め込み画像を配置する場所については、本実施の形態では各分割画像データの端部に配置したが、各分割画像に形成されている原稿画像と近接するように配置してもよい。この場合、原稿画像と近接するように埋め込み画像を配置することにより、例えば拡大鏡等で位置ずれを測定する際に、原稿画像と埋め込み画像とを同時に観察することができ、測定時における煩雑さを解消することが可能になる。
【００９４】
本実施の形態では、埋め込み画像には目盛りを有する形状のものを用いているが、各分割画像データ間における水平方向及び垂直方向の位置ずれ量が視覚的に認識でき、位置ずれの補正が容易にできるようなものであれば目盛りを有する形状でなくともよい。また、水平方向のみ、垂直方向のみの位置ずれ量が認識できる埋め込み画像を別個独立に設けてもよい。
【００９５】
【発明の効果】
請求項１記載の発明によれば、一つの原画像データを二以上に分割して分割画像データを作成し、分割画像データ間に発生する位置ずれ量を検出した検出結果から位置ずれ領域を作成し、分割画像データが占有する分割画像データ領域と位置ずれ領域とを包含する補正画像データ領域を新たに形成して、補正画像データ領域内に分割画像データを取り込み、画像形成を行った場合に各分割画像間の位置ずれが補正される位置に配置することにより、各分割画像間に発生する位置ずれを除去することが可能になる。
【００９６】
請求項２記載の発明によれば、記憶装置内には各分割画像データの記憶領域がそれぞれ独立に設けられているので、各分割画像データにおけるデータ管理等の煩雑さを解消することが可能になる。
【００９７】
請求項３記載の発明によれば、各分割画像データ間の相対的な位置を認識可能にする識別画像が配置されることにより、各分割画像間の相対的な位置ずれを認識することが可能になるとともに、位置ずれを除去する際にもそれらの相対的位置を確認して位置ずれ量の補正が行えるようになるので、分割画像間における位置ずれの補正を簡便に行うことが可能になる。
【００９８】
請求項４記載の発明によれば、識別画像には原画像と異なる形状のものが用いられ、その識別画像は各分割画像データ間に跨るように配置されているので、各分割画像の境界が容易に認識できるようになり、分割画像間に隙間が発生する場合には、容易に分割画像の画像形成領域を確認することが可能になるとともに、分割画像間に発生する位置ずれを確認できる場所が増加するので、位置ずれ補正の精度を向上させることが可能になる。
【００９９】
請求項５記載の発明によれば、原画像と異なる形状を有する識別画像を各分割画像の端部に配置することにより、各分割画像間の一部が重なって画像形成された場合等にその重なりの程度を容易に確認することが可能になる。
【０１００】
請求項６記載の発明によれば、原画像と異なる形状を有する識別画像を原画像の近傍に配置させることにより、例えば位置ずれの程度を拡大鏡等を用いて測定する場合に拡大鏡等を移動させずに原稿画像と識別画像を確認することが可能になり、位置ずれの程度を容易に測定することが可能になる。
【０１０１】
請求項７記載の発明によれば、前記補正画像データ領域は前記分割画像データ領域と前記位置ずれ領域と前記識別画像を構成する識別画像データが配置される識別画像データ領域とを包含するように形成されて、補正画像データ領域内において分割画像データと識別画像データとが配置され、補正画像データ領域のうち識別画像データが配置されている部分は、互いに隣接する補正画像データ領域と重なるように配置されているので、分割画像間に隙間が生じた場合には、その隙間に分割画像と隣接して配置されている識別画像が表示され、分割画像間の隙間量を容易に認識することが可能になる。
【０１０２】
請求項８記載の発明によれば、識別画像を分割画像の位置ずれ量の測定が可能な形状にすることにより、容易に互いに隣接する分割画像間における位置ずれ量を測定することが可能になる。
【０１０３】
請求項９記載の発明によれば、形状が異なる複数の識別画像を用いることにより、互いに隣接する分割画像間において位置ずれが生じている場合に、分割画像間の複数の箇所で位置ずれの補正を行うことが可能になるので、複数の箇所において位置ずれの程度を把握することが可能になるとともに、位置ずれの補正の精度も向上させることが可能になる。
【０１０４】
請求項１０記載の発明によれば、一つの原画像データを二以上に分割して分割画像データを作成し、分割画像データ間に発生する位置ずれ量を検出した検出結果から位置ずれ領域を作成し、分割画像データが占有する分割画像データ領域と位置ずれ領域とを包含する補正画像データ領域を新たに形成して、補正画像データ領域内に分割画像データを取り込み、画像形成を行った場合に各分割画像間の位置ずれが補正される位置に配置することにより、各分割画像間に発生する位置ずれを除去することが可能になる。
【０１０５】
請求項１１記載の発明によれば、記憶装置内には各分割画像データの記憶領域がそれぞれ独立に設けられているので、各分割画像データにおけるデータ管理等の煩雑さを解消することが可能になる。
【０１０６】
請求項１２記載の発明によれば、各分割画像データ間の相対的な位置を認識可能にする識別画像が配置されることにより、各分割画像間の相対的な位置ずれを認識することが可能になるとともに、位置ずれを除去する際にもそれらの相対的位置を確認して位置ずれ量の補正が行えるようになるので、分割画像間における位置ずれの補正を簡便に行うことが可能になる。
【０１０７】
請求項１３記載の発明によれば、識別画像には原画像と異なる形状のものが用いられ、その識別画像は各分割画像データ間に跨るように配置されているので、各分割画像の境界が容易に認識できるようになり、分割画像間に隙間が発生する場合には、容易に分割画像の画像形成領域を確認することが可能になるとともに、分割画像間に発生する位置ずれを確認できる場所が増加するので、位置ずれ補正の精度を向上させることが可能になる。
【０１０８】
請求項１４記載の発明によれば、原画像と異なる形状を有する識別画像を各分割画像の端部に配置することにより、各分割画像間の一部が重なって画像形成された場合等にその重なりの程度を容易に確認することが可能になる。
【０１０９】
請求項１５記載の発明によれば、原画像と異なる形状を有する識別画像を原画像の近傍に配置させることにより、例えば位置ずれの程度を拡大鏡等を用いて測定する場合に拡大鏡等を移動させずに原稿画像と識別画像を確認することが可能になり、位置ずれの程度を容易に測定することが可能になる。
【０１１０】
請求項１６記載の発明によれば、前記補正画像データ領域は前記分割画像データ領域と前記位置ずれ領域と前記識別画像を構成する識別画像データが配置される識別画像データ領域とを包含するように形成されて、補正画像データ領域内に分割画像データと識別画像データが配置され、補正画像データ領域の一部は互いに隣接する補正画像データ領域と重なるように配置され、その重なる部分には識別画像データの一部が配置されているので、分割画像間に隙間が生じた場合には、その隙間に分割画像と隣接して配置されている識別画像が表示され、分割画像間の隙間量を容易に認識することが可能になる。
【０１１１】
請求項１７記載の発明によれば、識別画像を分割画像の位置ずれ量の測定が可能な形状にすることにより、容易に互いに隣接する分割画像間における位置ずれ量を測定することが可能になる。
【０１１２】
請求項１８記載の発明によれば、形状が異なる複数の識別画像を用いることにより、互いに隣接する分割画像間において位置ずれが生じている場合に、分割画像間の複数の箇所で位置ずれの補正を行うことが可能になるので、複数の箇所において位置ずれの程度を把握することが可能になるとともに、位置ずれの補正の精度も向上させることが可能になる。
【０１１３】
【図面の簡単な説明】
【図１】本発明の第一の実施の形態である画像形成装置の概略的な構成を示す分解斜視図である。
【図２】本実施の形態である画像形成装置の画像補正及び画像形成に関する一連のプロセスを示すフローチャートである。
【図３】画像形成を行う原画像を示す模式図である。
【図４】原画像を分割して得られる分割画像を示す模式図である。
【図５】各分割画像間に位置ずれが発生する場合の画像の位置関係を示す模式図である。
【図６】各分割画像データを補正画像データ領域に配置した場合の補正画像データ領域と分割画像データ領域との位置関係を示す模式図である。
【図７】原画像に対して各書込み装置が画像形成を担当する領域を示す模式図である。
【図８】各書込み装置間に位置ずれが生じている場合の一例として、各書込み装置が画像形成を行う領域を示す模式図である。
【図９】各分割画像間に位置ずれが発生している場合の位置ずれ量を示す模式図である。
【図１０】各分割画像データを補正画像データ領域に取り込み、位置ずれの補正が行われた状態の各分割画像の配置例を示す模式図である。
【図１１】本発明の第二の実施の形態において、識別画像としてテストパターンが各分割画像間に跨るように配置され、各分割画像間に位置ずれがない場合に画像形成される原画像の構成を示す模式図である。
【図１２】テストパターンが配置された分割画像間に位置ずれが発生する場合の画像の位置関係を示す模式図である。
【図１３】本発明の第三の実施の形態において、識別画像として埋め込み画像が各分割画像の端部に配置され、各分割画像間に位置ずれがない場合に画像形成される原画像の構成を示す模式図である。
【図１４】本実施の形態で用いられる埋め込み画像の形状について示し、（ａ）は第一の埋め込み画像、（ｂ）は第二の埋め込み画像について示す模式図である。
【図１５】分割画像の両端に第一の埋め込み画像及び第二の埋め込み画像を配置した場合の位置関係を示す模式図である。
【図１６】埋め込み画像が配置された分割画像間に位置ずれが発生する場合の画像の位置関係を示す模式図である。
【図１７】本実施の形態で各分割画像に設置されている埋め込み画像の位置関係について示し、（ａ）は位置ずれがない場合、（ｂ）は重なりがある場合、（ｃ）は隙間がある場合を示す模式図である。
【図１８】第三の埋め込みパターンの形状について示す模式図である。
【図１９】第三の埋め込み画像が配置された場合の分割画像データとの位置関係について示す模式図である。
【図２０】分割画像間に隙間が生じた場合の各分割画像と第三の埋め込み画像と位置関係について示す模式図である。
【符号の説明】
１　　画像形成装置
２　　ドラム
３　　書込み装置
４　　版材（記録部材）
１０　　第一の分割画像データ
１１　　第二の分割画像データ
１２　　第三の分割画像データ
１３　　テストパターン（識別画像）
１４　　埋め込み画像（識別画像）
１５　　第一の埋め込み画像
１６　　第二の埋め込み画像
１７　　第三の埋め込み画像
【図１】
2004147260.tif 000006
【図２】
2004147260.tif 000007
【図３】
2004147260.tif 000008
【図４】
2004147260.tif 000009
【図５】
2004147260.tif 000010
【図６】
2004147260.tif 000011
【図７】
2004147260.tif 000012
【図８】
2004147260.tif 000013
【図９】
2004147260.tif 000014
【図１０】
2004147260.tif 000015
【図１１】
2004147260.tif 000016
【図１２】
2004147260.tif 000017
【図１３】
2004147260.tif 000018
【図１４】
2004147260.tif 000019
【図１５】
2004147260.tif 000020
【図１６】
2004147260.tif 000021
【図１７】
2004147260.tif 000022
【図１８】
2004147260.tif 000023
【図１９】
2004147260.tif 000024
【図２０】
2004147260.tif 000025